(57)【要約】【課題】使用者が着衣の色や柄、または着衣のファッション等に応じて、ベルトの色や柄、あるいは材質等の交換が可能であり、また尾錠金具をベルトの色や柄、着衣の柄や色等に応じて適宜交換が可能なベルト金具を提供する。【解決手段】尾錠金具に備えられたベルト止ピンおよびピンを回動自在に軸支するピン受軸を備える環状の尾錠金具と、ベルト帯の一端を保持固定するベルト帯接続金具とが着脱可能に直接連設されて構成されているベルト金具である。【選択図】図３
0003124921.tif 000002
【実用新案登録請求の範囲】
【請求項１】
尾錠金具に備えられたベルト止ピンおよび該ピンを回動自在に軸支するピン受軸を備える環状の尾錠金具と、ベルト帯の一端を保持固定するベルト帯接続金具とが着脱可能に直接連設されて構成されていることを特徴とするベルト金具。
【請求項２】
ベルト帯接続金具は、ベルト帯固定片と、ベルト帯装着部、前記ピン受軸と当接すると共に該受軸を回動可能に保持するピン受軸当接部、および前記ベルト帯装着部とピン受軸当接部との間に形成された基部とで構成され、ベルト帯固定片は、その基端側が回動自在にベルト帯装着部に設けられ、他端が自由端として前記ピン受軸当接部上面に当接可能に構成され、ベルト帯装着部は前記ベルト帯を挿入するベルト帯挿入開口部と、これに対向して設けられたベルト帯当接部を有することを特徴とする請求項１に記載のベルト金具。
【請求項３】
前記ベルト帯固定片の基端側には、前記自由端がピン受軸当接部の上面に当接した際に、ベルト帯挿入開口部に向かって突出するようにベルト帯固定爪が形成されていることを特徴とする請求項２に記載のベルト金具。
【請求項４】
前記ベルト帯固定爪は、その頭頂部が鈍頭または平坦であって前記自由端方向に屈曲した形状となっていることを特徴とする請求項３に記載のベルト金具。
【請求項５】
前記ピン受軸当接部は、断面がコ字形状に前記基部から突出して形成され、ピン受軸が、前記コ字形状の開口縁部と基部とに対して共に線接触状に当接可能に構成されていることを特徴とする請求項２〜４のいずれかに記載のベルト金具。
【考案の詳細な説明】
【技術分野】
【０００１】
本考案は、ベルト金具に関し、ベルト金具における尾錠金具とベルト帯接続金具との間に接続部材を設けることなく尾錠金具とベルト帯接続金具とが直接連設されて構成されているベルト金具に関する。
【背景技術】
【０００２】
一般にベルトはズボンやスカート等を固定するのに着用されるが、近年は、これ以外に、ファッションにも使用されるようになってきている。従来、ベルトは、尾錠金具のベルト止ピンの受軸（ピン受軸）にベルト帯またはこれと同じ素材の帯片の一端を掛け回して湾曲に折り返し、折り返し部分を逢着してベルト帯を尾錠金具に固定したもの、また、尾錠金具のピン受軸にベルト帯の一端を掛け回した折り返し部分をカシメ等の固定用治具により、ベルト帯を尾錠金具に固定したものが知られている（例えば、特許文献１）。
しかしながら、これらのベルトの場合は、ベルトの色や柄等を着衣の柄や色等に合わせて交換することができず、また尾錠金具が傷んだときに尾錠金具を交換したり、尾錠金具を、ベルトの色や柄あるいは着衣の柄や色等に合わせて交換したりするということができないので、結局ベルト全体をファッションの面や、着衣の柄や色等に合わせて個別のベルトを選択しなければならず、また尾錠金具とベルトとを所望により個別に取替えて着用することはできない不便さがあった。
【０００３】
また、ベルト帯本体部分と尾錠金具部分とが分離可能なベルトとして、ベルト帯本体と同素材からなる接続片を、尾錠金具のピン受軸に巻回して取付け、前記接続片の他端を固着した接続用金具を備え、ベルト帯本体の基端部と接続片とが前記接続用金具を介して着脱可能に一体化されたベルトがある。この態様は尾錠金具とベルト帯接続用金具との間にベルト帯本体と同素材の接続片が設けられており、尾錠金具とベルト帯接続金具とが直接接合されておらず、所望に応じてベルト帯を取替えて使用する場合ベルト帯の選択が自由に行えず、また尾錠金具のみを交換することができない。
【０００４】
また、例えば、特許文献２には、ベルト本体の一端を尾錠金具のベルト固定ピン軸に掛け回して湾曲に折り返し、折り返し部分にスナップやねじなどの着脱可能な部材を設けて尾錠金具の取替えを可能にしたものが報告されている。しかし、この場合はベルト本体における湾曲折り返し固定部分に予め着脱可能な部材が設けられていることが必要であり、使用者が着衣の色や柄に応じて、またファッションの面から好みに応じて簡単に適宜交換ができるものでない。
【０００５】
また、例えば、特許文献３には、ベルト固定用部材に自動伸縮装置を取付け、これをバックルに連結しベルトが適宜伸縮できるようにしたものも提案されている。
【０００６】
【特許文献１】実用新案登録第３０７８２０７号公報
【特許文献２】特開平７−９０７０６号公報
【特許文献３】実用新案登録第３０９４２３５号公報
【考案の開示】
【考案が解決しようとする課題】
【０００７】
本考案は、使用者が着衣の色や柄に応じて、また着衣のファッションにより、ベルトの色や柄、あるいは材質等を適宜交換可能とすることを主たる目的とし、また尾錠金具をベルトの色や柄あるいは着衣の柄や色等に応じて、適宜交換可能ができるベルト金具を提供することを更なる目的とするものである。
【課題を解決するための手段】
【０００８】
本考案は、新しい発想に基づく従来のベルト金具には見られない構造からなり、ベルト金具における尾錠金具とベルト帯接続金具との間に接続部材を設けることなく尾錠金具とベルト帯接続金具とが直接連設されて構成されているベルト金具である。
【０００９】
すなわち、本発明は、（１）尾錠金具に備えられたベルト止ピンおよびピンを回動自在に軸支するピン受軸を備える環状の尾錠金具と、ベルト帯の一端を保持固定するベルト帯接続金具とが着脱可能に直接連設されて構成されていることを特徴とするベルト金具である。
【００１０】
（２）ベルト帯接続金具は、ベルト帯固定片と、ベルト帯装着部、前記ピン受軸と当接すると共に該受軸を回動可能に保持するピン受軸当接部、および前記ベルト帯装着部とピン受軸当接部との間に形成された基部とで構成され、ベルト帯固定片は、その基端側が回動自在にベルト帯装着部に設けられ、他端が自由端として前記ピン受軸当接部上面に当接可能に構成され、ベルト帯装着部は前記ベルト帯を挿入するベルト帯挿入開口部と、これに対向して設けられたベルト帯当接部を有することを特徴とする前記（１）に記載のベルト金具、
【００１１】
（３）前記ベルト帯固定片の基端側には、前記自由端がピン受軸当接部の上面に当接した際に、ベルト帯挿入開口部に向かって突出するようにベルト帯固定爪が形成されていることを特徴とする前記（２）に記載のベルト金具、
【００１２】
（４）前記ベルト帯固定爪は、その頭頂部が鈍頭または平坦であって前記自由端方向に屈曲した形状となっていることを特徴とする前記（３）に記載のベルト金具、
【００１３】
（５）前記ピン受軸当接部は、断面がコ字形状に前記基部から突出して形成され、ピン受軸が、前記コ字形状の開口縁部と基部とに対して共に線接触状に当接可能に構成されていることを特徴とする前記（２）〜（４）のいずれかに記載のベルト金具、
を要旨とする。
【考案の効果】
【００１４】
本考案によるベルト金具は、１）使用者が着衣の色や柄に応じて、また着衣のファッションにより、ベルトの色や柄、あるいは材質等を選び適宜交換して用いることができる。
２）また、さらに尾錠金具とベルト帯接続金具とを分離、装着が可能に構成することにより、尾錠金具をベルトの色や柄あるいは着衣の柄や色、生地等に応じて、適宜交換して使用することができる。
【考案を実施するための最良の形態】
【００１５】
本考案は尾錠金具とベルト帯接続金具との間に接続部材を設けることなく尾錠金具とベルト帯接続金具とが直接連設されて構成されているベルト金具である。
本考案のベルト金具を、図面を参照して具体的に説明する。
図１は本考案のベルト金具を用いた実施態様を示す表面の平面図である。図２は図１の裏面を示す平面図である。図３は本考案のベルト金具において、尾錠金具とベルト帯接続金具とを分離した状態の裏面を示す平面図である。（１）は尾錠金具、（２）はベルト帯接続金具である。
【００１６】
本考案のベルト金具は、図３に示すように、尾錠金具とベルト帯接続金具とが着脱可能に直接連設されて構成されており、尾錠金具１０とベルト帯接続金具２０とは、ベルト帯接続金具２０に形成された尾錠金具のベルト止ピン受軸当接部２２（以下、単に「ピン受軸当接部」と記すことがある）に、尾錠金具のベルト止ピン受軸（以下、単に「ピン受軸」と記すことがある）１２が当接して着脱可能に連設されている。なお、図１、図２の３０はベルト帯本体を示し、４０はさる革（ベルト帯を通す環）を示す。
【００１７】
図４は、本考案のベルト帯接続金具２０を説明するベルト帯接続金具裏面の斜視図であり、ベルト帯接続金具のベルト帯固定片２１を開いた状態を示す。図５は、ベルト帯接続金具２０の側面図を示し、ベルト帯固定片２１が矢印方向に回動しベルト帯固定片が開放された状態を一点波線で示す。図６はベルト帯接続金具２０をベルト帯挿入開口部側からみた側面図である。
【００１８】
図３、図４及び図５を参照して本発明に係るベルト帯接続金具を具体的に説明する。
ベルト帯接続金具２０は、ベルト帯固定片２１と、ベルト帯装着部２４、尾錠金具のピン受軸１２と当接すると共に該受軸を回動可能に保持するピン受軸当接部２２、および前記ベルト帯装着部２４とピン受軸当接部２２との間に形成された基部２３とで構成され、ベルト帯固定片２１は、その基端部２１１が回動自在にベルト帯装着部２４に設けられ、他端は自由端として前記ピン受軸当接部２２上面に当接可能に構成されている。
【００１９】
ベルト帯装着部２４は、ベルト帯挿入開口部２４１、該挿入開口部に対向する側にベルト帯当接部２４２が設けられている。前記ピン受軸当接部２２は、断面コ字形状に形成されてベルト接続金具の基部２３から突出して設けられており、前記ベルト帯当接部２４２と前記ピン受軸当接部２２との間に、さる革装着部２５が形成されている。
【００２０】
本考案において、尾錠金具１０とベルト帯接続金具２０との着脱は、ベルト帯接続金具に回動可能に設けられたベルト帯固定片２１を開き（図４、図５参照）、尾錠金具をベルト装着部方向に移動させ、ピン受軸当接部２２および基部２３とに当接しているピン受軸を分離し離脱することができる。尾錠金具のベルト帯接続金具への装着は、ピン受軸１２をピン受軸当接部２２および基部２３に当接するように配置しベルト帯固定片２１を閉じる。
【００２１】
ベルト帯固定片２１は、その基端部２１１で回動可能に設けられ、該基端部に対向する自由端部２１２はピン受軸当接部２２の上面に当接するように構成されているので容易に開放することができる。なお、ベルト帯固定片２１の基端部に対向する自由端部を下方に屈曲させて、前記ピン受軸当接部２２上面に当接させるとともに先端を係止させるようにすることもできる。このようにすることにより、ベルト帯固定片を確実に固定することができる。
【００２２】
回動可能に設けられた前記ベルト帯固定片２１の基端部には、前記自由端部がピン受軸当接部２２の上面に当接した際に、ベルト帯挿入開口部に突出するように複数の山形状のベルト帯固定爪２１０が形成されている。該ベルト帯固定爪２１０は、その頭頂部が鈍頭または平坦であって前記自由端方向にやや屈曲した形状となっている。このようにベルト帯固定爪２１０の頭頂部が鈍頭または平坦に形成されているので、従来の固定爪のようにベルト帯に強く食い込んでベルト帯自体を傷付けることが少ない。またベルト帯固定片２１の開閉に大きな力を必要とせず開閉が容易である。ベルト帯固定爪２１０の頭頂部が鈍頭または平坦であるので、固定爪がベルト帯に強く食い込んでいなくベルト帯が容易に抜ける虞があるように思われるが、鈍頭または平坦でベルト帯固定片の前記自由端方向に屈曲した形状となっている帯固定爪の頭頂部で、ベルト帯がベルト帯装着部の基部に強く押し付けられて固定しており、引張り方向に対して大きな摩擦抵抗が作用し容易には抜けることはない。
【００２３】
本考案のベルト帯接続金具における前記尾錠金具のベルト止ピン受軸当接部２２は、図４、図５に示すように、断面がコ字形状に凹部２２１を形成し、ベルト止ピン受軸１２が該コ字形状の開口縁部２２２と基部２３の面とで線接触状に接してベルト止ピン受軸が回動可能に構成されている。前記ベルト帯固定片の自由端部およびベルト止ピン受軸当接部にはベルト止ピンが挿入し得るように切り込み部２１３、２２３がそれぞれが形成されている。
【００２４】
本考案のベルト金具は、以上のように、尾錠金具とベルト帯接続金具とが分離、装着可能に構成された構造であるので、使用者が着衣の色や柄に応じて、また着衣のファッションにより、ベルトの色や柄、あるいは材質等を選択して適宜交換して用いることができる。また尾錠金具をベルトの色や柄あるいは着衣の柄や色、生地等に応じて、適宜交換して使用することができるなどの優れた効果を奏するものである。また本考案のベルト金具は時計ベルトのベルト金具としても使用することができる。
【図面の簡単な説明】
【００２５】
【図１】本考案の実施態様を示す表面平面図である。
【図２】本考案の実施態様を示す裏面平面図である。
【図３】本考案のベルト金具を尾錠金具とベルト帯接続金具とに分離した状態を示す裏面平面図である。
【図４】本考案のベルト帯接続金具を説明するベルト帯接続金具裏面斜視図である。
【図５】本考案のベルト帯接続金具の側面図である。
【図６】本考案のベルト帯接続金具をベルト帯挿入側からみた側面図である。
【符号の説明】
【００２６】
１０      尾錠金具
１１      枠
１２      ピン受軸
１３      ピン
２０      ベルト帯接続金具
２１      ベルト帯固定片
２１０    ベルト帯固定爪
２２      ピン受軸当接部
２３      基部
２４      ベルト帯装着部
２４１    ベルト帯挿入開口部
２４２    ベルト帯当接部
２５      さる革装着部
【図１】
0003124921.tif 000003
【図２】
0003124921.tif 000004
【図３】
0003124921.tif 000005
【図４】
0003124921.tif 000006
【図５】
0003124921.tif 000007
【図６】
0003124921.tif 000008